(57)【要約】【課題】持ち運びに便利な薄型の眼鏡を提供する事。【解決手段】金属製薄板から形成されたフロント枠（１０）の両外側の一方の外側は上部に、他方の外側は下部に連結用凹部（１２，１２ａ）が形成され、前記上部連結用凹部（１２）に連結される一方のツル（２０）は後方に真っすぐ延び中間部（２１）で下方に折り曲げられ、そこから更に所定の位置まで後方に延び、所定の位置でヘアピン状（２２）に１８０度曲げられ中間部まで戻り弾力を有する耳掛け自由端部（２３）とされ、前記下部連結用凹部（１２ａ）に連結される他方のツル（２０ａ）は後方に真っすぐ延び、中間部（２１ａ）で上方に折り曲げられ、そこから所定の位置まで更に後方に延び所定の位置でヘアピン状（２２ａ）に１８０度曲げられ中間部まで戻り弾力を有する耳掛け自由端部（２３ａ）とし、そして両ツルは左右非対称で且つツルが折畳まれた際お互い干渉しない様にされた薄型眼鏡の提供。【選択図】図１
2016206623.tif 000002
【特許請求の範囲】
【請求項１】
金属製薄板から形成されたフロント枠の両外側の一方の外側は上部に、他方の外側は下部に連結用凹部が形成され、前記上部連結用凹部に連結される一方のツルは後方に真っすぐ延び中間部で下方に折り曲げられ、そこから更に所定の位置まで後方に延び、所定の位置でヘアピン状に１８０度曲げられ中間部まで戻り弾力を有する耳掛け自由端部とされ、前記下部連結用凹部に連結される他方のツルは後方に真っすぐ延び、中間部で上方に折り曲げられ、そこから所定の位置まで更に後方に延び所定の位置でヘアピン状に１８０度曲げられ中間部まで戻り弾力を有する耳掛け自由端部とされ、そして両ツルは左右非対称で且つツルが折畳まれた際お互い干渉しない様にされた事を特徴とする薄型眼鏡。
【請求項２】
上部に連結されたツルの中間部での折り曲げ長は０．５〜２ｃｍであり、下部に連結されたツルの中間部での折り曲げ長は０．８〜３ｃｍである事を特徴とする請求項１記載の薄型眼鏡。
【請求項３】
折り畳まれた両ツルがフロント枠内からはみ出さない様に形成された事を特徴とする請求項１記載の薄型眼鏡。
【発明の詳細な説明】
【技術分野】
【０００１】本発明は薄型金属板より形成された薄型眼鏡に関する。
【背景技術】
【０００２】従来眼鏡には主に近眼用と、老眼用の眼鏡があり、近眼用の眼鏡は朝起きてから夜寝る前まで殆ど掛けっ放しにしておかれる事が多く、他方老眼鏡は掛け外しが頻繁に行われ、身に付け易い薄い軽い物が好まれて来ていた。そこで、老眼鏡用としては特開平１１−２３１２６７号（特許文献１）の様な物が、テンプルと前枠が同一平面上に収まる様に薄く折り畳み可能で持ち運び便利なものとして提案されてきた。
【先行技術文献】
【０００３】
【特許文献１】特開平１１−２３１２６７号
【発明の概要】
【発明が解決しようとする課題】
【０００４】しかしながら、図７の上記特開平１１−２３１２６７号に於いては、折り畳んだ状態から起立する手段としてバネ等を使用し、図８の様にケースに入れて使用することが前提になっており、構造が複雑で故障も起こり易く、そしてケース自体が重くなってしまっていた。ケースを開けると眼鏡テンプルが起立する構造になっているので、眼鏡だけをポケットに入れておく事は構造的に出来なかった。
【課題を解決するための手段】
【０００５】そこで本発明に於いては上記課題を解決する為に、金属製薄板から形成されたフロント枠の両外側の一方の外側は上部に、他方の外側は下部に連結用凹部が形成され、前記上部連結用凹部に連結される一方のツルは後方に真っすぐ延び中間部で下方に折り曲げられ、そこから更に所定の位置まで後方に延び、所定の位置でヘアピン状に１８０度曲げられ中間部まで戻り弾力を有する耳掛け自由端部とされ、前記下部連結用凹部に連結される他方のツルは後方に真っすぐ延び、中間部で上方に折り曲げられ、そこから所定の位置まで更に後方に延び所定の位置でヘアピン状に１８０度曲げられ中間部まで戻り弾力を有する耳掛け自由端部とされ、そして両ツルは左右非対称で且つツルが折畳まれた際お互い干渉しない様にされた事を特徴とする薄型眼鏡の提供を図った。【０００６】更に、上部に連結されたツルの中間部での折り曲げ長は０．５〜２ｃｍであり、下部に連結されたツルの中間部での折り曲げ長は０．８〜３ｃｍであるようにした。【０００７】そして、折り畳まれた両ツルがフロント枠内からはみ出さない様に形成した。
【発明の効果】
【０００８】本発明により、簡単な構造で眼鏡が薄く軽くなり掛け易くなり、且つポケットやバッグにも簡単に出し入れが可能で使い易い形状・構造となった。
【図面の簡単な説明】
【０００９】
【図１】本発明の全体斜視図
【図２】本発明の一方のツル部品の正面図
【図３】本発明の他方のツル部品の正面図
【図４】本発明のフロント枠の正面図
【図５】本発明のフロント枠にツルを取り付けた正面図
【図６】本発明の全体平面図
【図７】従来図
【図８】従来図
【発明を実施するための最良の形態】
【００１０】金属製薄板から形成されたフロント枠の両外側の一方の外側は上部に、他方の外側は下部に連結用凹部が形成され、前記上部連結用凹部に連結される一方のツルは後方に真っすぐ延び中間部で下方に折り曲げられ、そこから更に所定の位置まで後方に延び、所定の位置でヘアピン状に１８０度曲げられ中間部まで戻り弾力を有する耳掛け自由端部とされ、前記下部連結用凹部に連結される他方のツルは後方に真っすぐ延び、中間部で上方に折り曲げられ、そこから所定の位置まで更に後方に延び所定の位置でヘアピン状に１８０度曲げられ中間部まで戻り弾力を有する耳掛け自由端部とされ、そして両ツルは左右非対称で且つツルが折畳まれた際お互い干渉しない様にされた事を特徴とする薄型眼鏡。
【実施例１】
【００１１】図１は本発明の全体斜視図で有り、金属製薄板から形成されたフロント枠１０の両外側の一方の外側は上部に、他方の外側は下部に連結用凹部が形成され、前記上部連結用凹部１２に連結される一方のツル２０は後方に真っすぐ延び中間部２１で下方に折り曲げられ、そこから更に所定の位置まで後方に延び、所定の位置でヘアピン状２２に１８０度曲げられ中間部まで戻り弾力を有する耳掛け自由端部２３とされる。前記下部連結用凹部１２ａに連結される他方のツル２０ａは後方に真っすぐ延び、中間部２１ａで上方に折り曲げられ、そこから所定の位置まで更に後方に延び所定の位置でヘアピン状２２ａに１８０度曲げられ中間部まで戻り弾力を有する耳掛け自由端部２３ａとされ、そして両ツルは左右非対称で且つツルが折畳まれた際お互い干渉しない様にされる。【００１２】図２は本発明の一方のツル２０の正面図であり、このツルも金属製薄板より形成されたものであって良く、その先端部は連結部が形成されており、後方に真っすぐ延び中間部２１で下方に折り曲げられる。この折り曲げ長は０．５〜２ｃｍが好ましく、そこから更に所定の位置まで後方に延び、所定の位置でヘアピン状２２に１８０度曲げられ中間部まで戻り弾力を有する耳掛け自由端部２３とされる。【００１３】図３は本発明の他方のツル２０ａの正面図であり、先端は上記同様に連結部が形成されており、後方に真っすぐ延び、中間部２１ａで上方に０．８〜３ｃｍ折り曲げられ、そこから所定の位置まで更に後方に延び所定の位置でヘアピン状２２ａに１８０度曲げられ中間部まで戻り弾力を有する耳掛け自由端部２３ａとされる。【００１４】図４は本発明のフロント枠１０の正面図であり、金属製の薄板を打ち抜くか、カットして形成された枠１０で両外側の一方の外側は上部１２に、他方の外側は下部１２ａに連結用凹部が形成されている。【０００１５】図５は、本発明のフロント枠にツルを連結し折り畳んだ状態での背面図で有り、ツル２０，２０ａは折り畳んだ状態でフロント枠１０からはみ出さない様にされ、図からも解かる様にお互い折り畳んだ状態で干渉しない様にされている。お互いのツルは非対称にされ薄く折り畳める事となる。【００１６】図６は本発明の全体の平面図で有り、ほぼ薄い金属板二枚分の薄さで済み、軽く且つポケットにも簡単に収納可能で、使用する時だけ簡単に取り出す事が出来る。
【産業上の利用可能性】
【００１７】老眼鏡の使用環境が改善され、利便性が高くなり大いに使用される事が可能となる。
【符号の説明】
【００１８】１０                フロント枠
１２，１２ａ        連結用凹部
２０，２０ａ        ツル
２１，２１ａ        中間部
２２                ヘアピン部
２３，２３ａ        自由端部
【図１】
2016206623.tif 000003
【図２】
2016206623.tif 000004
【図３】
2016206623.tif 000005
【図４】
2016206623.tif 000006
【図５】
2016206623.tif 000007
【図６】
2016206623.tif 000008
【図７】
2016206623.tif 000009
【図８】
2016206623.tif 000010